(57)【要約】【課題】メダル投入口の位置を遊技者の好みにあわせて調整する。【解決手段】投入口形成部材３０を下部扉７に対して移動自在とし、投入口形成部材３０を固定機構の載置台５２に載置する。通常、投入口形成部材３０は、押圧部材５３によって下部扉７に固定されている。スライドボタン３８を固定位置から調整位置にスライドさせると、伝達部材５１によって載置台５２が下降し、押圧部材５３による固定が解除される。遊技者の好みの位置に投入口形成部材３０を移動させ、スライドボタン３８を調整位置から固定位置にスライドさせると、伝達部材５１によって載置台５２が上昇し、押圧部材５３による押圧によって投入口形成部材３０が固定される。【選択図】図８
2007117520.tif 000002
【特許請求の範囲】
【請求項１】
遊技の際に遊技媒体が投入される投入口と、
投入された遊技媒体が正規であるか否かを振り分ける遊技媒体振り分け装置と、
前記投入口からの遊技媒体を前記遊技媒体振り分け装置に案内する案内通路とを備え、
前記投入口から投入された遊技媒体が前記遊技媒体振り分け装置によって正規の遊技媒体として振り分けられた場合に、該遊技媒体を遊技の際に用いる遊技媒体として使用する遊技機であって、
前記投入口は、遊技機本体に対して移動自在に設けられており、
前記投入口を固定する固定位置と、前記投入口の固定を解除する解除位置との間で移動可能な操作部材を備えるとともに、前記案内通路を、前記遊技媒体の移動方向を軸にして捩った形状からなるバネで構成したことを特徴とする遊技機。
【請求項２】
前記バネは、方形状に巻かれたコイルバネから構成され、このコイルバネの内部の中空部分が前記案内通路となることを特徴とする請求項１記載の遊技機。
【請求項３】
前記遊技機本体は、前記投入口を備えた投入口形成部材を有しており、
前記操作部材が前記解除位置から固定位置に操作された場合に、前記投入口形成部材を前記遊技機本体に対して押圧する押圧部材と、
前記操作部材の移動を、前記押圧部材の移動に変換する変換部材とを備えていることを特徴とする請求項１又２記載の遊技機。
【発明の詳細な説明】
【技術分野】
【０００１】
本発明は、パチンコ店等の遊技場に配設されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダル（遊技媒体）をメダル投入口から投入すると、メダル投入口に連通する案内通路を介してセレクタと呼ばれるメダル振り分け器の内部に案内される。セレクタは、投入されたメダルが正規のものであるか否かによってメダルを振り分ける装置である。このセレクタによって正規のメダルであると判断されたメダルは、セレクタの内部に設けられたセンサによって検知された後、例えばホッパー装置に設けられた貯留タンクに回収される。なお、上述したセンサによってメダルが検知されることによって、１枚のメダルが投入されたことがカウントされる。
【特許文献１】特開２００３−０７０９７９号公報
【発明の開示】
【発明が解決しようとする課題】
【０００３】
しかしながら、このようなパチスロ機に代表されるスロットマシンの場合、メダル投入口に連通する案内通路は、メダル投入口と一体となるように設けられており、また、固定されたセレクタに対してメダルを規則的に送り込ませるためには、メダル投入口からセレクタに設けられた受入口までの経路、つまり案内通路を直線状の通路としなければならず、例えば遊技者によっては、パチスロ機の前方に設けられた椅子に座って遊技を行う際のメダル投入口の位置が合わないという欠点がある。このため、メダル投入口の位置が合わないパチスロ機で遊技を長時間行ったときには、遊技者の疲労度が高くなるという問題がある。
【０００４】
本発明は、上記従来技術の問題を解決するためになされたものであり、メダル投入口の位置を遊技者の好みにあわせて調整することができるようにした遊技機を提供することを目的とする。
【課題を解決するための手段】
【０００５】
本発明の遊技機は、遊技の際に遊技媒体が投入される投入口と、投入された遊技媒体が正規であるか否かを振り分ける遊技媒体振り分け装置と、前記投入口からの遊技媒体を前記遊技媒体振り分け装置に案内する案内通路とを備え、前記投入口から投入された遊技媒体が前記遊技媒体振り分け装置によって正規の遊技媒体として振り分けられた場合に、該遊技媒体を遊技の際に用いる遊技媒体として使用する遊技機であって、前記投入口は、遊技機本体に対して移動自在に設けられており、前記投入口を固定する固定位置と、前記投入口の固定を解除する解除位置との間で移動可能な操作部材を備えるとともに、前記案内通路を、前記遊技媒体の移動方向を軸にして捩った形状からなるバネで構成したことを特徴とする。
【０００６】
また、前記バネは、方形状に巻かれたコイルバネから構成され、このコイルバネの内部の中空部分が前記案内通路となることを特徴とする。
【０００７】
また、前記遊技機本体は、前記投入口を備えた投入口形成部材を有しており、前記操作部材が前記解除位置から固定位置に操作された場合に、前記投入口形成部材を前記遊技機本体に対して押圧する押圧部材と、前記操作部材の移動を、前記押圧部材の移動に変換する変換部材とを備えていることを特徴とする。
【発明の効果】
【０００８】
本発明の遊技機は、遊技の際に遊技媒体が投入される投入口と、投入された遊技媒体が正規であるか否かを振り分ける遊技媒体振り分け装置と、前記投入口からの遊技媒体を前記遊技媒体振り分け装置に案内する案内通路とを備え、前記投入口から投入された遊技媒体が前記遊技媒体振り分け装置によって正規の遊技媒体として振り分けられた場合に、該遊技媒体を遊技の際に用いる遊技媒体として使用する遊技機であって、前記投入口は、遊技機本体に対して移動自在に設けられており、前記投入口を固定する固定位置と、前記投入口の固定を解除する解除位置との間で移動可能な操作部材を備えるとともに、前記案内通路を、前記遊技媒体の移動方向を軸にして捩った形状からなるバネで構成したので、遊技者の好みの位置、或いは遊技媒体を投入しやすい位置に、投入口を調整することができる。
【０００９】
また、前記バネは、方形状に巻かれたコイルバネから構成され、このコイルバネの内部の中空部分が前記案内通路となるから、例えば板状の不正具等の異物を案内通路に沿って挿入しようとしても、バネに生じる隙間に異物を挿入させてしまい、遊技媒体振り分け装置に到達させることが難しくなるので、結果的に不正なメダル投入を行わせる不正行為、所謂ゴト行為を抑制することができる。
【００１０】
また、前記遊技機本体は、前記投入口を備えた投入口形成部材を有しており、前記操作部材が前記解除位置から固定位置に操作された場合に、前記投入口形成部材を前記遊技機本体に対して押圧する押圧部材と、前記操作部材の移動を、前記押圧部材の移動に変換する変換部材とを備えているので、簡易な構成で投入口形成部材の固定、及び固定解除を行わせることができる。
【発明を実施するための最良の形態】
【００１１】
図１に示すように、スロットマシン２は、前面が開口された収納箱４と、この収納箱４の前面に設けられた前面扉５とからなる筐体３の内部に、後述する第１リール１１、第２リール１２、第３リール１３、ホッパー装置等が配設された構成となっている。
【００１２】
前面扉５は、上部扉６と下部扉７との２枚の扉から構成されている。上部扉６には表示窓１０が設けられ、この表示窓１０の奥に第１リール１１，第２リール１２，第３リール１３が配設されている。周知のように、第１リール１１、第２リール１２、第３リール１３の外周には様々な図柄が一定ピッチで配列され、リールが停止した状態では表示窓１０を通して１リール当たり３個の図柄が観察される。これにより、各リールの図柄を１個ずつ組み合わせた直線状の入賞ラインが横３本斜め２本の合計５本設定されている。これら第１リール１１、第２リール１２、第３リール１３の側方には液晶表示装置１４が設けられ、例えばアニメーション表示を利用した演出を行う。なお、表示窓１０の数は１つに限定する必要はなく、例えば各々のリール毎に表示窓を設けるようにしてもよい。
【００１３】
下部扉７の前面であって、その中央には、スロットマシン２のイメージ画像等が印刷されたパネル２０が設けられている。このパネル２０の上部には、遊技開始時や、遊技中、或いは遊技終了後に操作される操作部２１が設けられている。この操作部２１には、遊技の開始時に操作されるＭＡＸベットボタン２２、ペイアウトボタン２３などの各種の操作ボタンが設けられている。なお、これらのボタンの機能はいずれも周知であるので、その詳細については省略する。また、これらボタンの近傍には、メダルベットが行われた後に操作されるスタートレバー２４や、スタートレバー２４の操作により回転するリールを停止させるための第１ストップボタン２５、第２ストップボタン２６、第３ストップボタン２７等が設けられている。
【００１４】
下部扉７の上部であって、操作部２１の側方となる箇所には、遊技を行う際にメダル２８を投入するためのメダル投入口３１が形成された投入口形成部材３０が配置されている。図２に示すように、投入口形成部材３０は、上述したメダル投入口３１と、メダル押し当て面３２と、ガイド面３３とを備えた構成となっている。メダル投入口３１は、遊技を行う際にメダル２８を投入する箇所であり、このメダル投入口３１に投入されるメダル２８（図４参照）は、メダル２８を起立させた状態（つまり、メダル２８の径方向の面２８ａと遊技場の床面とが略直交となる状態）で投入される。
【００１５】
メダル押し当て面３２は、メダル２８をメダル投入口３１から投入する際に、メダル２８の径方向の面２８ａが押し当てられる箇所である。このメダル押し当て面３２にメダル２８が押し当てられると、メダル２８が、その径方向の面２８ａと例えば遊技場の床面とが直交した状態で保持され、その状態で、メダル投入口３１から内部に落下する。ガイド面３３は、メダルメダル２８の周面２８ｂに合わせた湾曲面から構成されている。このガイド面３３は、複数枚のメダルを連続して投入する際に、載置される複数枚のメダル２８を整列させる機能を有する他に、整列された複数枚のメダル２８をメダル押し当て面３２に向けて押圧する際に、その押圧方向を規制する機能を有している。
【００１６】
この投入口形成部材３０は、後述する固定機構５０による固定が解除されたときに、位置調整が行えるように下部扉７に移動自在に組み付けられている。図２或いは図３に示すように、下部扉７には開口３５が設けられており、投入口形成部材３０は、この開口３５を介してスロットマシン２の外部へと突出した状態で保持される。この開口３５が設けられた面３６と略直交する面３７には、スライドボタン（操作部材）３８が設けられている。通常、スライドボタン３８は、図２に示す固定位置に保持されており、例えば投入口形成部材３０の位置調整を行う場合には、スライドボタン３８を図２中Ｂ方向にスライド操作する。図３に示す位置まで、スライドボタン３８をスライド操作すると、投入口形成部材３０が、図３に示す二点差線の位置から、図３に示す実線の位置まで下降する。この状態で投入口形成部材３０の位置調整を行うことができる。投入口形成部材３０の位置調整を行った後、スライドボタン３８を図３中Ｃ方向にスライドさせることで、投入口形成部材３０が図２に示す実線の位置まで上昇し、投入口形成部材３０が固定される。なお、以下では、図２中のスライドボタン３８の位置を固定位置、図３中のスライドボタン３８の位置を調整位置として説明する。なお、符号３９はガイド孔であり、スライドボタン３８の移動方向を規制するために設けられている。
【００１７】
図４に示すように、メダル投入口３１の下方にはセレクタ（遊技媒体振り分け装置）４０が組み込まれ、不正規なメダルはメダル払出口４１（図１参照）を介してメダル受け皿４２（図１参照）に排出される。また、セレクタは、例えば遊技の途中や各種の操作ボタンが押されたままの状態で投入される等の不適切なタイミングでメダル２８の投入が行われたときに、投入されたメダル２８をメダル受け皿４２に排出する。なお、遊技の開始に先立って投入するメダル２８の枚数は３枚に限られているため、クレジット機能を用いていないときには４枚目以降に投入されたメダル２８はメダル受け皿４２に排出される。なお、符号４０ａは、メダル投入口３１から投入されたメダル２８をセレクタ４０の内部に受け入れるための受け入れ口である。
【００１８】
一方、クレジット機能がオン状態のときには４枚目以降に投入されたメダル２８は、図示しないメダルセンサで検知され、例えば５０枚を限度にスロットマシン２の内部に貯留される。このクレジット機能を用いているときには、前述したＭＡＸベットボタン２２の操作によりメダル２８の投入操作が行われ、その投入操作によって投入された枚数がクレジット枚数から逐次に減算される。また、遊技の結果、入賞が得られたときには配当となるメダル２８もクレジットされ、ペイアウトボタン２３を操作したときにクレジットされているメダルがメダル受け皿４２に払い出される。
【００１９】
このメダル投入口３１とセレクタ４０との間には、略方形状に巻かれたコイルバネ４５が組み付けられている。このコイルバネ４５は、コイルバネ４５の巻き方向に対して１８０°捩った状態で組み付けられている。このコイルバネ４５の内部の中空部分が案内通路４６（図４に示す二点差線）となる。このコイルバネ４５は、その両端に連結部材４７、４８が組み付けられており、この連結部材４７を介してコイルバネ４５の一端が投入口形成部材３０に、連結部材４８を介してコイルバネ４５の他端がセレクタ４０に、それぞれ連結される。なお、本実施形態では、コイルバネを用いたが、これに限定する必要はなく、例えば長手方向に直交する断面が略Ｃ字形状となるように幅方向の端部を折り曲げた板バネを用いることも可能である。
【００２０】
次に、投入口形成部材３０をスロットマシン２に固定するための固定機構５０について図５〜図７を用いて説明する。固定機構５０は、伝達部材（変換部材）５１、載置台５２、保持部材５３、ガイド軸５４、５５とから構成されている。なお、本実施形態の固定機構は一例であって、リンク機構やギヤ機構を用いた構成であってもよい。伝達部材５１は、その前面であって、長手方向の略中央に上述したスライドボタン３８が立設されている。このスライドボタン３８の下方には、ガイド孔５６が設けられている。このガイド孔５６には、下部扉７の内壁面に設けられたガイドピン７ａが挿通され、伝達部材５１のスライド方向を規制する。この伝達部材５１の裏面には、図６中左方に下り傾斜する傾斜面５７ａを備えた摺接片（変換部材）５７が設けられている。
【００２１】
載置台（押圧部材）５２は、略板形状から構成され、その中央に開口５２ａが設けられている。この開口５２ａには、上述したコイルバネ４５が挿通される。この載置台５２は、その前端部の下面に、傾斜面６０を備えた摺接片（変換部材）５２ｂを備えている。傾斜面６０は、図６中左方に下り傾斜した傾斜面（以下、傾斜面６０と称する）から構成されている。この傾斜面６０は、上述した伝達部材の傾斜面５７ａと当接した状態で保持される。なお、伝達部材５１がスライドする際に、伝達部材５１の摺接片５７と、載置台５２の摺接片５２ｂとが摺接することで、伝達部材５１のスライド方向が載置台５２の移動方向（上下方向）に変換される。また、載置台５２は、摺接片５２ｂが設けられる端部とは反対側の端部に、ガイド孔５２ｃ，５２ｄを備えている。これらガイド孔５２ｃ、５２ｄには、ガイド軸５４，５５が挿通される。
【００２２】
保持部材５３は、例えば板状から構成された、例えばゴム等の弾性部材が用いられる。この保持部材５３は、例えばスライドボタン３８が固定位置にある場合に、投入口形成部材３０を下部扉７の内壁面７ｂに向けて押圧し、投入口形成部材３０のがたつきを防止するために設けられている。この保持部材５３は、その中央に開口５３ａが設けられ、この開口５３ａにコイルバネ４５が挿通される。この保持部材５３は、載置台５２の上面に載置される。
【００２３】
ガイド軸５４，５５は、載置台５２の移動方向を図５中Ｄ方向、或いはＥ方向に規制するために設けられている。このガイド軸５４，５５は、コ字状のブラケット６５に組み付けられる。このブラケット６５の上片６５ａには開口６５ｃ、６５ｄが、その下片６５ｂには、開口６５ｅ、６５ｆが、それぞれ設けられている。これら開口のうち、開口６５ｃと開口６５ｅとが同軸となるように、また、開口６５ｄと開口６５ｆとが同軸となるように、それぞれ設けられている。これら開口のうち、開口６５ｃと開口６５ｅにはガイド軸５４が挿通され、開口６５ｄと開口６５ｆにはガイド軸５５が挿通される。なお、符号６６はＥリングであり、ガイド軸５４の両端部に設けられた溝５４ａ、５４ｂ、及びガイド軸５５の両端部に設けられた溝５５ａ、５５ｂにそれぞれ組み付けられることで、ガイド軸５４，５５をブラケット６５から逸脱することを防止する。なお、詳細は記載しないが、このブラケット６５は下部扉７に組み付けられる。
【００２４】
次に、本実施形態の作用について説明する。遊技を行う際に、遊技者が投入口形成部材３０の位置を調整したい場合には、固定位置にあるスライドボタン３８を図２中Ｂ方向にスライドさせる。このとき、下部扉７のガイドピン７ａがガイド孔５６に挿入されているので、伝達部材５１のスライド方向が図８中Ｆ方向に規制される。そして、スライドボタン３８が固定位置から調整位置まで移動すると、下部扉７のガイドピン７ａがガイド孔５６の端部と当接し、伝達部材５１のスライドが停止される。
【００２５】
伝達部材５１が図８中Ｆ方向に移動すると、その摺接片５７の当接面５７ａの位置がずれることになる。この摺接片５７の当接面５７ａがずれることによって、載置台５２がその自重によって図８中Ｇ方向に移動する、つまり下降し、伝達部材５１の摺接片５７と、載置台５２の摺接片５２ｂの当接が保持される。よって、伝達部材５１が図８中Ｆ方向に移動したときには、伝達部材５１の摺接片５７の傾斜面５７ａが、載置台５２の摺接片５２ｂの傾斜面６０に対して摺接しながらスライドすることになる。なお、投入口形成部材３０は載置台５２に載置されているから、載置台５２の下降とともに下降する。これにより、図９に示すように、スライドボタン３８を調整位置までスライドさせると、保持部材５３による下部扉７への押圧が解除され、投入口形成部材３０の位置調整が可能となる。
【００２６】
図９に示すように、投入口形成部材３０が図９中実線の位置にあるときには、この投入口形成部材３０は図９中Ｈ方向に、或いは図９中Ｉ方向に位置調整することが可能となる。例えば投入口形成部材３０を図９中Ｈ方向に移動させ、図中二点差線に示す位置まで位置調整した場合、案内通路４６の形が変化することになるが、案内通路４６はコイルバネ４５から形成されているので、投入口形成部材３０の位置を調整したとしても、メダルの通過に関して影響することがない。なお、投入口形成部材３０を図９中Ｉ方向に移動させ、図９中一点鎖線に示す位置まで位置調整した場合も同様であるので、ここでは、その詳細を省略する。
【００２７】
また、この位置調整においては、図１０中Ｊ方向、或いは図１０中Ｋ方向に移動させる、つまり、スロットマシン２の奥行き方向に対しても、投入口形成部材３０の位置調整を行うことができる。つまり、図１０に示す二点差線の位置から図１１に示す一点鎖線の位置の間で位置調整を行うことができる。
【００２８】
遊技者の好みの位置に投入口形成部材３０を移動させた後、スライドボタン３８を、調整位置から固定位置に（図２中Ｃ方向に）スライド操作する。図１１に示すように、スライドボタン３８を固定位置に向けてスライドさせると、伝達部材５１も図１１中Ｌ方向に移動することになるので、伝達部材５１に設けられた摺接片５７によって載置台５２が図１１中Ｍ方向に押圧され、載置台５２が図１１中Ｍ方向に移動、つまり、載置台５２が上昇する。なお、この場合も、伝達部材５１が図１１中Ｌ方向にスライド移動する際に、伝達部材５１の摺接片５７の当接面５７ａと、載置台５２の摺接片５２ｂの傾斜面６０とが摺接される。このスライドボタン３８が固定位置に到達する前に、投入口形成部材３０に設けられた受け座３０ａが下部扉７の内壁面７ｂに当接される。
【００２９】
その後、スライドボタン３８が固定位置までスライドされると、載置台５２によって投入口形成部材３０が下部扉７の内壁面７ｂに押圧される。なお、載置台５２と投入口形成部材３０との間に保持部材５３が配設され、この保持部材５３がゴム等の弾力性を有する部材から構成されているので、スライドボタン３８が固定位置までスライドされると、保持部材５３によって投入口形成部材３０に設けられた受け座３０ａが下部扉７の内壁面７ｂに押圧された状態が保持される。これにより、スライドボタン３８が固定位置に保持されている場合には、投入口形成部材３０の位置調整を行うことができなくなる。遊技者の好みの位置にメダル投入口３１の調整を行った後、メダルの投入が行われ、遊技が実行される。なお、再度メダル投入口３１の位置調整を行う場合には、上述した手順でメダル投入口３１の位置調整を行う。
【００３０】
例えば、このような投入口の位置を調整できるスロットマシン２において、不正なメダル投入を行おうとして、セル板７０等の異物をメダル投入口３１からスロットマシン２の内部に向けて（図１２中Ｙ方向に）挿入した場合、セル板７０の先端を案内通路４６に沿って挿入することになる。しかしながら、コイルバネ４５が捩られた状態で組み付けられているので、図１２に示すように、セル板７０の先端がセレクタ４０に到達する前に、コイルバネ４５に生じる隙間にセル板の先端が嵌り込む、或いは、コイルバネ４５によってセル板の先端が引っ掛り易くい。これにより、セル板７０をセレクタ４０の内部まで挿入させにくくなるので、不正なメダル投入を行わせることを抑制することができる。
【００３１】
本実施形態では、スライドボタンを固定位置に保持する機構については記載していないが、例えば、スライドボタン自体に、或いは伝達部材に突起を設け、下部扉に、スライドボタンが固定位置までスライドさせたときに、前記突起と係合する係合溝を設けることが考えられる。また、スライドボタン、或いは伝達部材に係合溝を設け、下部扉に突起を設けることも可能である。
【図面の簡単な説明】
【００３２】
【図１】本発明のスロットマシンを示す斜視図である。
【図２】スライドボタンが固定位置にある場合のメダル投入口近傍を示す斜視図である。
【図３】スライドボタンが調整位置にある場合のメダル投入口近傍を示す斜視図である。
【図４】メダル投入口からセレクタまでの構成の概略を示す斜視図である。
【図５】投入口形成部材と、固定機構との構成を示す斜視図である。
【図６】固定機構の構成を示す斜視図である。
【図７】固定機構の構成を示す斜視図である。
【図８】スライドボタンが固定位置にある場合の投入口形成部材の近傍を示す正面図である。
【図９】投入口形成部材をスロットマシンの幅方向に調整する場合の調整範囲を示す正面図である。
【図１０】投入口形成部材をスロットマシンの奥行き方向に調整する場合の調整範囲を示す正面図である。
【図１１】スライドボタンが調整位置にある場合の投入口形成部材の近傍を示す正面図である。
【図１２】セル板をメダル投入口から挿入した場合に、セル板の先端がコイルバネの隙間に入り込んだ状態を示す断面図である。
【符号の説明】
【００３３】
２  スロットマシン
７  下部扉
３０  投入口形成部材
３１  メダル投入口
３８  スライドボタン（操作部材）
４０  セレクタ（遊技媒体振り分け装置）
４５  コイルバネ
４６  案内通路
５０  固定機構
５１  伝達部材（変換部材）
５２  載置台（押圧部材）
５２ｂ、５７  摺接片（変換部材）
５３  保持部材
５４，５５  ガイド軸
５７ａ  当接面
６０  傾斜面
【図１】
2007117520.tif 000003
【図２】
2007117520.tif 000004
【図３】
2007117520.tif 000005
【図４】
2007117520.tif 000006
【図５】
2007117520.tif 000007
【図６】
2007117520.tif 000008
【図７】
2007117520.tif 000009
【図８】
2007117520.tif 000010
【図９】
2007117520.tif 000011
【図１０】
2007117520.tif 000012
【図１１】
2007117520.tif 000013
【図１２】
2007117520.tif 000014